(57)【要約】【課題】  本発明では、磁性体の持つ磁力を効果的に発揮させて、勃起力を高め勃起サイズの増大を促進する男性用陰茎装着器具を提供する。【解決手段】  シリコンゴムで形成され、環形状の男性用陰茎装着器具１は、リング部２の内側の側面からリングの中心に向かって伸びた複数のひだ部３と、該各ひだ部３の先端側に磁性体固定部４で固定された磁性体５とから構成される。磁性体５はリング部２の中心に対して同心円状で均等間隔となるように各ひだ部３に固定されている。さらに、隣接する磁性体５は磁極の向きが交互になるように固定されている。このような男性用陰茎装着器具１を陰茎に装着することにより、上記課題の解決を図る。【選択図】      図１
2006166986.tif 000002
【特許請求の範囲】
【請求項１】
環形状の男性用陰茎装着器具であって、
前記環を成す環部材の内側の側面から該環の中心に向かって伸びた複数のひだ部材と、
該各ひだ部材の先端側に設けられた磁性体とからなる、前記環部材及びひだ部材が樹脂で形成された男性用陰茎装着器具。
【請求項２】
前記磁性体は、前記環の中心に対して同心円状で、該磁性体間の間隔が均等になるように前記各ひだ部材に設置されていることを特徴とする請求項１に記載の男性用陰茎装着器具。
【請求項３】
前記ひだ部材の一方の面に設けられた磁性体は、該ひだ部材と隣接するひだ部材に設けられている磁性体とは、磁極の面が反対となるように設置され、かつ前記磁性体は前記ひだ部材の一方の面にＳ極及び他方の面にＮ極が現されるように設置されていることを特徴とする請求項２に記載の男性用陰茎装着器具。
【請求項４】
前記男性用陰茎装着器具は、さらに、前記環部材に複数の前記磁性体が、該磁性体間の間隔が均等になるように内包され、該磁性体は、隣接する該磁性体間で異なる磁極の面が対向するように内包されていることを特徴とする請求項１、２、または３に記載の男性用陰茎装着器具。
【請求項５】
環形状の男性用陰茎装着器具であって、前記環を成す環部材の内側の側面から該環の中心に向かって伸びた複数のひだ部材を有する前記環部材及びひだ部材が樹脂で形成された男性用陰茎装着器具は、前記環部材に複数の磁性体を、該磁性体間の間隔が均等になるように内包しており、該磁性体は、隣接する該磁性体間で異なる磁極の面が対向するように内包されていることを特徴とする男性用陰茎装着器具。
【発明の詳細な説明】
【技術分野】
【０００１】
本発明は、男性の勃起回復力の増強や、血流及び海綿体の活性化による勃起サイズの増大等を可能にする男性用陰茎装着器具に関する。
【背景技術】
【０００２】
シリコンリングに磁性体をインサートし、勃起力の増進支援を目的とする商品は幾つか存在する。これらは、いずれも磁力で陰茎を刺激することに依存しているが、その効果が疑わしい（全く効果がないとは言い切れないが）ものが多い。
【０００３】
図８は、従来における磁性体を用いた男性用陰茎装着器具１００の一例を示す。図８（ａ）に示すように、隣接する磁性体１０１間距離（磁性体同士の間隔）が広く、単に陰茎に向かって磁力を放出しているだけのものがある。
【０００４】
図８（ｂ）に示すように、磁性体１０１と陰茎間の距離が離れすぎており、陰茎に磁力が届いているとは思えないものがある。また、磁性体自体の磁力が弱く、陰茎に刺激を与えているとは思えないものがある。
【０００５】
図８（ｃ）に示すように、磁性体１０１は陰茎に対して垂直方向に配置して、Ｓ極とＮ極が交互に磁力を発しているのが理想的であるが、磁極の向きを考えずに配置しているものが多い。例えば、同図のように球状の磁性体を配置した場合、磁極の向きを一定法則に従って配置することは困難であり、従って磁極を揃えることは困難である。
【０００６】
また、陰茎に多くの磁力を与えることを目的に磁性体の数量を多くしているものがある。しかしながら、隣り合った磁性体の磁極の関係と距離を計算して配置していないため、隣同士の磁性体間で磁力を消費し、陰茎に向かう磁力を相殺してしまっている。
【０００７】
図８（ｄ）に示すように、磁性体１０１と陰茎の距離を短くすることと、勃起時の状態を維持するために男性用陰茎装着器具１００のリング部に伸縮性をもたせ、勃起時に陰茎を締め付ける効果を持つものが見受けられる。しかし、これを医学的に見ると、海綿体に血液を溜めて勃起状態を維持しておく弁の機能を持つ坐骨海綿体の機能を低下させると言われている（外力により、海綿体の充血を維持することは、坐骨海綿体の必要性がなくなるため、坐骨海綿体の機能低下を促す結果となる）。
【０００８】
また、複数の磁石を埋設した帯材を陰茎に巻き付けるものも開示されている（例えば、特許文献１）。しかしながら、このタイプでは巻き付けた後の磁石間の配置関係が必ずしも固定しておらず、磁力の相互作用による効果が装着の度にばらつきが生じる。
【０００９】
また、合成樹脂等のゴム製の周方向において無連結とした一体形成リング内に所定間隔をおいて複数の磁性体を内装したインポテンス用リングが開示されている（特許文献２）。しかしながら、このリングは、隣接する磁性体との関係を考慮して、各磁性体の磁極の方向についてはなんら言及しておらず、磁性体間の相互的な作用が得られるかどうか問題がある。また、ゴム製リングで伸縮性があるとはいっても、平常時と勃起時とでは陰茎の径に差が生じ、勃起時において図８（ｄ）で説明したの同様の問題が生じる。
【特許文献１】特開２００２−２９１７８４号公報
【特許文献２】実登３０３１３８７号公報
【発明の開示】
【発明が解決しようとする課題】
【００１０】
上記の課題に鑑み、本発明では、磁性体の持つ磁力を効果的に発揮させて、勃起力を高め勃起サイズの増大を促進する男性用陰茎装着器具を提供する。
【課題を解決するための手段】
【００１１】
上記課題は、特許請求の範囲の請求項１に記載の発明によれば、環形状の男性用陰茎装着器具であって、前記環を成す環部材の内側の側面から該環の中心に向かって伸びた複数のひだ部材と、該各ひだ部材の先端側に設けられた磁性体とからなる、前記環部材及びひだ部材が樹脂で形成された男性用陰茎装着器具を提供することによって達成できる。
【００１２】
上記課題は、特許請求の範囲の請求項２に記載の発明によれば、前記磁性体は、前記環の中心に対して同心円状で、該磁性体間の間隔が均等になるように前記各ひだ部材に設置されていることを特徴とする請求項１に記載の男性用陰茎装着器具を提供することによって達成できる。
【００１３】
上記課題は、特許請求の範囲の請求項３に記載の発明によれば、前記ひだ部材の一方の面に設けられた磁性体は、該ひだ部材と隣接するひだ部材に設けられている磁性体とは、磁極の面が反対となるように設置され、かつ前記磁性体は前記ひだ部材の一方の面にＳ極及び他方の面にＮ極が現されるように設置されていることを特徴とする請求項２に記載の男性用陰茎装着器具を提供することによって達成できる。
【００１４】
上記課題は、特許請求の範囲の請求項４に記載の発明によれば、前記男性用陰茎装着器具は、さらに、前記環部材に複数の前記磁性体が、該磁性体間の間隔が均等になるように内包され、該磁性体は、隣接する該磁性体間で異なる磁極の面が対向するように内包されていることを特徴とする請求項１、２、または３に記載の男性用陰茎装着器具を提供することによって達成できる。
【００１５】
上記課題は、特許請求の範囲の請求項５に記載の発明によれば、環形状の男性用陰茎装着器具であって、前記環を成す環部材の内側の側面から該環の中心に向かって伸びた複数のひだ部材を有する前記環部材及びひだ部材が樹脂で形成された男性用陰茎装着器具は、前記環部材に複数の磁性体を、該磁性体間の間隔が均等になるように内包しており、該磁性体は、隣接する該磁性体間で異なる磁極の面が対向するように内包されていることを特徴とする男性用陰茎装着器具を提供することによって達成できる。
【発明の効果】
【００１６】
男性用陰茎装着器具１を用いることで、勃起力を高めたり、勃起サイズの増大を促進したり、精力回復を促進したり等することが期待できる。
【発明を実施するための最良の形態】
【００１７】
＜第１の実施の形態＞
図１は、本実施形態における男性用陰茎装着器具を示す。図１（ａ）は、男性用陰茎装着器具１の下面図を示す。図１（ｂ）は、男性用陰茎装着器具１の側面図を示す。図１（ｃ）は、男性用陰茎装着器具１の上面図を示す。図１（ｄ）は、男性用陰茎装着器具１の断面図を示す。
【００１８】
男性用陰茎装着器具１は、リング部２、ひだ部３、磁性体固定部４、磁性体５から構成される。リング部２は、シリコンゴムをリング状にして形成されている。ひだ部３は、シリコンゴムで形成されており、リング部２の内側の側面から内円の中心に向かってひだがのびている。さらにひだ部３を上部からみると、中心角をなす頂部の角がとれて丸みを帯びた略扇形の形状をしており、その円弧部分がリング部２の内径側面に結合している。ひだ部３の先端部（上記で説明した中心角をなす頂部の角がとれて丸みを帯びた部分）側には、磁性体５が配置されて、シリコンゴムにより固定されている。この磁性体５を固定している部分を磁性体固定部４という。
【００１９】
同図では、このようなひだ部３がリング部の内径側面に均等の間隔で８つ設けられている。そして、各ひだ部３の磁性体固定部４に固定されている磁性体５は、隣接するひだ部３の磁性体固定部４に固定されている磁性体５とは磁極が異なるように配置されている。例えば、図１（ｃ）において、ひだ部３の磁性体固定部４に固定されている磁性体５の上面（図面手前方向）がＳ極（下面（図面奥方向）はＮ極）になるように配置とすると、このひだ部に隣接する磁性体固定部４に固定されている磁性体５の上面はＮ極（下面はＳ極）となるように配置する。
【００２０】
また、８つの磁性体５は、磁極面の向きを除いてすべて同一の環境となるように、リング部２の内円の中心に対して同心円状になるようにひだ部３に固定し、同一形状、同一サイズの磁性体を用いる。なお、磁性体５は、厚みのある円盤形状で円盤中央には孔が貫通したものを用いたが、この形状に限定されない。
【００２１】
本実施形態での男性用陰茎装着器具１は、まず、金型に未着磁（磁力を与えていない）ネオジウム（厚みのある円盤形状で円盤中央には孔が貫通した形状）を、上記で説明した磁性体５の配置となるように配置する。このとき、金型には８つのネオジウムの配置位置を均一に固定するための８つの凸部が設けられており、その凸部をネオジウムの孔に通す。それから、その金型にシリコンゴムを流し込み、図１の形状に成型する。その後、着磁ヨークにより未着磁ネオジウムに磁力を与える。
【００２２】
なお、本実施形態では、男性用陰茎装着器具１は、外円の直径５３ｍｍ、内円の直径４１ｍｍ、リンク部２の断面の直径６ｍｍ、隣接するひだ部３間のスリット幅０．５ｍｍ、内円の半径方向のひだ部の長さ（最長部分、すなわち図１（ｄ）におけるひだ部３の幅）１４ｍｍ、磁性体５の円盤形状の直径４ｍｍ、磁性体５の円盤中央の孔の直径１．２ｍｍ、ひだ部３先端のＲは、磁性体５中心から半径４．０ｍｍ、シリコン強度４０としたが、これらに限定されず、個々人の陰茎のサイズに合わせて製作してもよい。また、磁性体は磁力、及び／または磁束密度が大きい程（例えば、３０００ガウス）よい。また、材質もシリコンに限定されず、陰茎に密着し、サイズ差が生じても陰茎に負担を与えないものであればよい。また、ひだ部の数、及び磁性体数も８個に限定されない。
【００２３】
図２は、本実施形態における男性用陰茎装着器具１の使用状態を示す。図２（ａ）は、男性用陰茎装着器具１のリング内に、大きいサイズの男性の陰茎１０を挿入して装着した状態を示す。図２（ｂ）は、男性用陰茎装着器具１のリング内に、小さいサイズの男性の陰茎１０を挿入して装着した状態を示す。
【００２４】
同図において、ひだ部３はシリコンゴムで形成されているため、ひだ部３は男性用陰茎装着器具１をはめ込む方向とは逆方向に陰茎１０に沿って撓んだ状態になる。このとき、ひだ部３の磁性体固定部４に固定されている磁性体５の円盤平面部分は陰茎１０の側面と対向している。すなわち、円盤平面部分は陰茎の側面とは略平行になっているので、陰茎側面に対して、磁性体５の平面のうちＳ極またはＮ極のいずれかの面が向いている状態になっている。このようなひだを採用することで、様々なサイズ、形状の陰茎に対応させることができ、陰茎を締め付けることなく、男性用陰茎装着器具１を陰茎に装着することができる。
【００２５】
図３は、本実施形態における男性用陰茎装着器具１の原理を示す。図３（ａ）は、図２の男性用陰茎装着器具１の使用状態を上から見たときの簡略図である。図３（ａ）では、ひだ部３が図面手前に盛り上がっている。図３（ａ）は、上述の通り、磁性体５の磁極であるＳ極とＮ極の面が交互に表・裏になるように配置してあり、その一部について磁極が表してある。これにより、磁性体５の持つ磁力を陰茎に伝達し、刺激を与えることができる。
【００２６】
すなわち、図３（ｂ）に示すように、磁性体の異なる磁極を交互に環状に配置することにより「交番磁場帯」の原理を活用して「右回りの電流」１５を発生させることによって、海綿体の細胞と血行を活性化させ、血液中の鉄分の分子運動を活発化させることにより、勃起力を高め勃起サイズの増大を促進する。
【００２７】
また、上述の通り、リング部２から内円中央に伸びたひだ部３に磁性体５を配置している。これにより、磁性体は陰茎に垂直に密着した状態を保つことができ、かつ、磁性体５と陰茎１０の距離を最短に保つことが可能となる。そして、上述の通り、リング部２の内円の中心に対して同心円状になるように８つの磁性体５は、ひだ部３に固定され、かつ同一形状、同一サイズのものを用いている。
【００２８】
このように、本実施形態における男性用陰茎装着器具１は、磁界と磁力の方向を計算し、「交番磁場帯」の法則により、磁界内に右回りの電流１５を発生させることにより、血行だけではなく細胞の成長活動を促進する。
【００２９】
図４は、本実施形態における使用時での男性用陰茎装着器具１の断面図である。図４（ａ）は、男性の陰茎の平常時（弛緩時）での男性用陰茎装着器具１の使用状態を示す。このときには、ひだ部３のうちその先端部の磁性体固定部４が陰茎側面に対して反り返って、磁性体固定部４が陰茎側面にフィットしている。
【００３０】
図４（ｂ）は、男性の陰茎の勃起時での男性用陰茎装着器具１の使用状態を示す。このときには、陰茎が膨張してその径が拡大しているので、図４（ａ）に比べて、ひだ部３の全体が陰茎側面に対して反り返って、磁性体固定部４が陰茎側面にフィットしている。
【００３１】
このように、ひだ部３をシリコンゴムで形成することで、弾力性・復元性を持ち陰茎サイズにフレキシブルに対応するひだ部３に磁性体を埋め込むことにより、平常時も勃起時も理想的な状態で磁性体と陰茎の距離感・密着性を保つことができる。また、男性用陰茎装着器具１は、勃起時に陰茎を締め付けることなく、磁性体の密着状態を保つことができるため、坐骨海綿体の力を阻害することはない。
【００３２】
図５は、本実施形態における男性用陰茎装着器具１の構成部材の位置関係を説明するための模式図である。男性用陰茎装着器具１では、ひだ部３の付け根はリング部２の断面中心の水平面からずらして形成されている。また、磁性体固定部４の突起部分の中央をひだの断面中央からずらしている。これにより、後述する図６のような効果を得ることができる。
【００３３】
図６は、本実施形態における男性用陰茎装着器具１の装着時断面の一例を示す。図６（ａ）は、磁性体突起を下にして装着した場合を示す。この中で、（ｉ）理想的な装着状態、（ｉｉ）は、陰茎が平常時（最小時）での装着状態を示す。図６（ｂ）は、磁性体突起を上にして装着した場合を示す。この中で、（ｉｉｉ）理想的な装着状態、（ｉｖ）は、陰茎が勃起時（最大時）での装着状態を示す。
【００３４】
図６において、図５で説明したようにひだ部３及び磁性体固定部４をずらして形成することにより、上下反転使用でのフィット感に変化をつけ、磁性体５と陰茎１０の密着距離を保ちながら、多様な陰茎のサイズ（（ｉ），（ｉｉｉ））、平常時（ｉｉ）のサイズ、勃起時（ｉｖ）のサイズ等、様々なサイズに対応することができる。
【００３５】
次に、本実施形態における男性用陰茎装着器具１の効果を表１に示す。
【００３６】
【表１】
2006166986.tif 000003
【００３７】
表１は、６人の被験者Ａ（４０歳）、Ｂ（４７歳）、Ｃ（３７歳）、Ｄ（４７歳）、Ｅ（７０歳）、Ｆ（４２歳）の装着前の状況及び装着後の結果を示している。この表１から全ての被験者について勃起力を高めたり、精力が増強したり等の有効な効果を得ることができたことが分かる。
【００３８】
以上より、男性用陰茎装着器具１を用いることで、勃起力を高めたり、勃起サイズの増大を促進したり、精力回復を促進したり等することが期待できる。なお、本発明にかかる男性用陰茎装着器具は、図１の形状に限定されず、複数の磁性体が、陰茎のサイズに関わらずに、陰茎側面に対して磁極が交互になり、均等に配置されるものであればよい。したがって、男性用陰茎装着器具を陰茎に装着したときに、陰茎のサイズに変化が生じても磁性体が同心円状に配置され、かつ磁性体または磁性体を内包した部分が陰茎側面に密着していればよい。また、平常時及び勃起時ともに男性用陰茎装着器具１は、陰茎に密着していながらも、陰茎を締め付けることがないので陰茎に負担を与えることはなく、坐骨海綿体の機能低下も招くこともない。
【００３９】
＜第２の実施の形態＞
図７は、第２の実施形態における男性用陰茎装着器具を示す。図７（ａ）はリング部２に円盤形状の磁性体２０を等間隔に埋めこんだものである。図７（ａ）の（ｉ）は上面図、図７（ａ）の（ｉｉ）は断面図、図７（ａ）の（ｉｉｉ）は側面図を示す。磁性体２０は隣接する磁性体２０の面と異なる磁極が向き合うように配置する。
【００４０】
このように、構成することにより、第１の実施形態にかかる男性用陰茎装着器具の効果をより向上させることができる。
図７（ｂ）はリング部２にのみ磁性体２０を等間隔に埋めこんだものである。磁性体２０の配列は図７（ａ）の磁性体２０と同様である。図７（ｂ）の（ｉ）は上面図、図７（ｂ）の（ｉｉ）は断面図、図７（ｂ）の（ｉｉｉ）は側面図を示す。男性用陰茎装着器具は、このように構成してもよい。
【図面の簡単な説明】
【００４１】
【図１】第１の実施形態における男性用陰茎装着器具を示す図である。
【図２】第１の実施形態における男性用陰茎装着器具１の使用状態を示す図である。
【図３】第１の実施形態における男性用陰茎装着器具１の原理を示す図である。
【図４】第１の実施形態における使用時での男性用陰茎装着器具１の断面図である。
【図５】第１の実施形態における男性用陰茎装着器具１の構成部材の位置関係を説明するための模式図である。
【図６】第１の実施形態における男性用陰茎装着器具１の装着時断面の一例を示す図である。
【図７】第２の実施形態における男性用陰茎装着器具を示す図である。
【図８】従来における磁性体を用いた男性用陰茎装着器具の一例を示す図である。
【符号の説明】
【００４２】
１      男性用陰茎装着器具
２      リング部
３      ひだ部
４      磁性体固定部
５，２０  磁性体
【図１】
2006166986.tif 000004
【図２】
2006166986.tif 000005
【図３】
2006166986.tif 000006
【図４】
2006166986.tif 000007
【図５】
2006166986.tif 000008
【図６】
2006166986.tif 000009
【図７】
2006166986.tif 000010
【図８】
2006166986.tif 000011